(57)【要約】【課題】いずれかの発光ダイオードが故障し、あるいは輝度が低下しても、発光ダイオードを交換することなく極めて簡単に補修する。【解決手段】発光ダイオードの表示装置は、文字、図形、記号等の表示パターンに配列してなる複数の発光ダイオード１と、発光ダイオード１に接続されて発光ダイオード１に電流を流して点灯する電源２とを備える。互いに接近して配設している発光ダイオード１は、互いに逆向きとなるように並列接続されて電源２に接続されている。電源２は、出力の正負を切り換えられる直流電源２で、電源２が出力の正負を切り換えて、点灯する発光ダイオード１を選択できるようにしている。【選択図】　図２
2004029624.tif 000002
【特許請求の範囲】
【請求項１】
文字、図形、記号等の表示パターンに配列してなる複数の発光ダイオード（１）と、発光ダイオード（１）に接続されて発光ダイオード（１）に電流を流して点灯する電源（２）とを備え、
互いに接近して配設している発光ダイオード（１）が互いに逆向きとなるように並列接続されて電源（２）に接続され、
電源（２）は出力の正負を切り換えられる直流電源で、電源（２）が出力の正負を切り換えて、点灯する発光ダイオード（１）を選択できるようにしてなる発光ダイオードの表示装置。
【請求項２】
発光ダイオード（１）をプリント基板（９）に固定しており、プリント基板（９）は、複数の発光ダイオード（１）を固定できる共通パターン（１０）をひとつのドット構成ユニット（５）として、このドット構成ユニット（５）を縦横に並べて配列しており、各々のドット構成ユニット（５）の共通パターン（１０）は、入力導電部（１０Ａ）と、出力導電部（１０Ｂ）と、中間導電部（１０Ｃ）とを備えており、隣に配設しているドット構成ユニット（５）は入力導電部（１０Ａ）と出力導電部（１０Ｂ）とを互いに接続しており、
入力導電部（１０Ａ）と出力導電部（１０Ｂ）に、互いに逆向きに並列接続している一対の第１発光ダイオード（１Ａ）を接続し、あるいは入力導電部（１０Ａ）と中間導電部（１０Ｃ）とに互いに逆向きに並列接続している一対の入力側第２発光ダイオード（１Ｂ）を接続すると共に、中間導電部（１０Ｃ）と出力導電部（１０Ｂ）とにも互いに逆向きに並列接続している一対の出力側第２発光ダイオード（１Ｂ）を接続し、
第１発光ダイオード（１Ａ）と第２発光ダイオード（１Ｂ）のいずれかをプリント基板（９）に接続して、点灯する発光ダイオード（１）の個数を変更するようにしてなる請求項１に記載される発光ダイオードの表示装置。
【請求項３】
表示パターンの外周縁に、多数の発光ダイオード（１）を配列している請求項１に記載される発光ダイオードの表示装置。
【請求項４】
表示パターンの外周部に位置するドット構成ユニット（５）に、入力導電部（１０Ａ）と中間導電部（１０Ｃ）とに入力側第２発光ダイオード（１Ｂ）を接続すると共に、中間導電部（１０Ｃ）と出力導電部（１０Ｂ）とにも出力側第２発光ダイオード（１Ｂ）を接続しており、外周部以外の表示パターンには入力導電部（１０Ａ）と出力導電部（１０Ｂ）とに第１発光ダイオード（１Ａ）を接続している請求項２に記載される発光ダイオードの表示装置。
【発明の詳細な説明】
【０００１】
【発明の属する技術分野】
本発明は、複数の発光ダイオードを、文字、図形、記号等の表示パターンに並べて表示する装置に関し、とくに屋外用として最適な表示装置に関する。
【０００２】
【従来の技術】
発光ダイオードは、フィラメントがないので極めて寿命が長い特長がある。この特長から、発光ダイオードを使用した屋外用の看板や広告等の表示装置として多く使用されるようになった。また、発光ダイオードは非常に小さいので、多数の発光ダイオードを種々の模様や文字の形状に配列して鮮明で綺麗な表示ができる。
【０００３】
多数の発光ダイオードを並べて文字等を表示する表示装置は、たとえば特開２０００−２９０４４６号に記載される。この公報にも記載されるように、発光ダイオードは、電球のようにソケットを使用することなく、直接に固定される。多数の発光ダイオードは、文字や図形を表示する配列で固定される。
【０００４】
【発明が解決しようとする課題】
直接に固定して接続される発光ダイオードは、ソケットを使用する構造に比較して、接触不良等の故障を少なくできる。このため、電球等に比較して信頼性を著しく向上できる。しかしながら、寿命が長い発光ダイオードにしても、故障や劣化を皆無にはできない。発光ダイオードの寿命は、約６万時間ともいわれるが、多数の発光ダイオードを使用して、全ての発光ダイオードをこの寿命まで使用できない。使用する個数が増加するにしたがって、故障し、あるいは劣化する個数が多くなる。とくに、屋外用の表示装置は、表示する文字や図形も大きく、また明るい輝度も要求されるので、極めて多くの発光ダイオードが使用される。
【０００５】
さらに、屋外の表示装置に使用される発光ダイオードは、室内に比較して非常に厳しい環境、たとえば夏期の厚いときに点灯されてさらに高温になる等、極めて厳しい外的条件で使用されるので、屋内用に比較して寿命が短くなる傾向が強い。このため、多数の発光ダイオードを使用して、全ての発光ダイオードを極めて長い年月にわたって故障しないように明るく点灯するのは非常に難しい。さらに困ったことに、屋外用の表示装置は、メンテナンスに極めて手間がかかる高所に設置されることが多く、発光ダイオードが故障したり輝度が低下して交換するコストが極めて高くなってしまう。
【０００６】
また、表示装置の発光ダイオードは、ほとんど例外なく複数個を直列に接続して電源に接続している。このため、いずれかの発光ダイオードが故障すると、この発光ダイオードに直列に接続している他の発光ダイオードも点灯できなくなることがある。このため、いずれかの発光ダイオードが故障すると、これを交換する必要があるが、その手間と費用が極めて高くなる欠点がある。
【０００７】
本発明は、このような欠点を解決することを目的に開発されたものである。本発明の重要な目的は、いずれかの発光ダイオードが故障し、あるいは輝度が低下しても、故障し、あるいは劣化した発光ダイオードを交換することなく、極めて簡単に補修できる発光ダイオードの表示装置を提供することにある。
【０００８】
【課題を解決するための手段】
本発明の発光ダイオードの表示装置は、文字、図形、記号等の表示パターンに配列してなる複数の発光ダイオード１と、発光ダイオード１に接続されて発光ダイオード１に電流を流して点灯する電源２とを備える。互いに接近して配設している発光ダイオード１は、互いに逆向きとなるように並列接続されて電源２に接続されている。電源２は、出力の正負を切り換えられる直流電源２で、電源２が出力の正負を切り換えて、点灯する発光ダイオード１を選択できるようにしている。
【０００９】
さらに、本発明の請求項２の発光ダイオードの表示装置は、発光ダイオード１をプリント基板９に固定している。プリント基板９は、複数の発光ダイオード１を固定できる共通パターン１０をひとつのドット構成ユニット５として、このドット構成ユニット５を縦横に並べて配列している。各々のドット構成ユニット５の共通パターン１０は、入力導電部１０Ａと、出力導電部１０Ｂと、中間導電部１０Ｃとを備えている。隣に配設しているドット構成ユニット５は、入力導電部１０Ａと出力導電部１０Ｂとを互いに接続している。表示装置は、入力導電部１０Ａと出力導電部１０Ｂに、互いに逆向きに並列接続している一対の第１発光ダイオード１Ａを接続し、あるいは入力導電部１０Ａと中間導電部１０Ｃとに互いに逆向きに並列接続している一対の入力側第２発光ダイオード１Ｂを接続すると共に、中間導電部１０Ｃと出力導電部１０Ｂとにも互いに逆向きに並列接続している一対の出力側第２発光ダイオード１Ｂを接続し、第１発光ダイオード１Ａと第２発光ダイオード１Ｂのいずれかをプリント基板９に接続して、点灯する発光ダイオード１の個数を変更するようにしている。
【００１０】
さらに、本発明の表示装置は、表示パターンの外周縁に、多数の発光ダイオード１を配列することができる。表示装置は、表示パターンの外周部に位置するドット構成ユニット５に、入力導電部１０Ａと中間導電部１０Ｃとに入力側第２発光ダイオード１Ｂを接続すると共に、中間導電部１０Ｃと出力導電部１０Ｂとにも出力側第２発光ダイオード１Ｂを接続して、外周部以外の表示パターンには入力導電部１０Ａと出力導電部１０Ｂとに第１発光ダイオード１Ａを接続することができる。
【００１１】
【発明の実施の形態】
以下、本発明の実施例を図面に基づいて説明する。ただし、以下に示す実施例は、本発明の技術思想を具体化するための発光ダイオードの表示装置を例示するものであって、本発明は発光ダイオードの表示装置を以下のものに特定しない。
【００１２】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１３】
図１０は、本発明の表示装置の表示部１００を示す断面図であり、図１は、本発明の表示装置の概要を示す図で、図１における表示部１００については、後述する透光性表示板１０１を省略した状態の正面図を表している。
表示部１００は、図１で確認できるように、正面視略Ｔ字状の形状を備え、図１０の断面図で示すように、透光性表示板１０１と、この透光性表示体１０１を前方に設置した断面視略溝状の収納溝体１０２と、この内部に収納される反射性の表面を有するプリント基板９を備えている。なお、図示しないが、プリント基板９上には、複数の発光ダイオード１が配置されている。
詳細には、透光性表示板１０１は、通過する光が拡散するように、アクリル等の樹脂製板材の中に、炭酸カルシウム、硫酸バリウム、シリカ、アルミナ、酸化チタン等の微粒子を混入させたものが利用される。
収納溝体１０２は、底面と側面を備え、金属板を折曲加工、あるいは、金属板をコナーで溶接して製造されたものが利用できる。側面は光を反射できるように、反射性に加工、例えば、鏡面仕上げされている。また、この収納溝体２は、アンカーボルト等を介して、建物の壁等に設置される。
図１に示す発光ダイオードの表示装置は、英語のＴの文字を表示する表示パターンに配列してなる複数の発光ダイオード１と、発光ダイオード１に接続されて発光ダイオード１に電流を流して点灯する電源２とを備える。図の表示装置は、表示パターンを英語の文字としているが、本発明は表示パターンを文字には特定しない。表示パターンは、図形や記号等あらゆる種類の表示をするパターンとすることができる。
【００１４】
電源２は、出力の正負を切り換える切換回路３と、この切換回路３を出力側に接続している直流出力回路４とを備える。直流出力回路４は、入力される交流や直流を、互いに直列に接続している複数の発光ダイオード１を点灯する直流電圧に変換して出力する。商用電源で点灯される表示装置の直流出力回路４は、商用電源の交流を直流に変換すると共に、直列接続している複数の発光ダイオード１を点灯する直流電圧に変換して出力する。太陽電池の電力をバッテリに蓄え、バッテリの電力で発光ダイオード１を点灯する表示装置は、直流出力回路４が、バッテリの直流電圧を直列接続している複数の発光ダイオード１を点灯する直流電圧に変換して出力するＤＣ／ＤＣコンバータである。
【００１５】
切換回路３は、直流出力回路４の出力の正負を切り換える。図の切換回路３は、２回路２接点の連動スイッチである。連動スイッチが切り換えられると、電源２は出力の正負が反転して切り換えられる。切換回路３は、トランジスターやＦＥＴ等の半導体スイッチング素子も使用できる。切換回路３は、制御回路（図示せず）で制御して、出力の正負を切り換えることができ、また手動で出力の正負を切り換えることもできる。
【００１６】
発光ダイオード１は、順方向にのみ電流を流すことができるダイオードであるから、一方にのみ通電して発光される。正負を逆方向に接続すると、電流が流れなくなって発光しなくなる。この特性は他の光源にない特性であるが、本発明は、この特性を有効に利用して、保守点検を簡単にしている。
【００１７】
図２は、複数の発光ダイオード１を接続する回路図である。この図に示すように、互いに接近して配設している一対の発光ダイオード１は、互いに逆向きとなるように並列接続されて電源２に接続される。互いに接近して配設している発光ダイオード１は、いずれか片方を点灯して他方を消灯して、ひとつのドットを表示する。したがって、本明細書において「互いに接近して配設される発光ダイオード」とは、ひとつのドットを表示するために接近して配置している発光ダイオードを意味するものとする。
【００１８】
図の回路図は、２個の発光ダイオード１でひとつのドットを表示する部分と、４個の発光ダイオード１でひとつのドットを表示する部分とがある。すなわち、ひとつのドットを表示するために互いに接近して配置している発光ダイオード１の２個または４個のグループをドット構成ユニット５とし、このドット構成ユニット５を縦横に並べて表示パターンを表示している。図の回路図の表示装置は、ドット構成ユニット５を構成する発光ダイオード１を、２個または４個としているが、ドット構成ユニット５の発光ダイオード１の個数を２個または４個に特定しない。ドット構成ユニット５は、互いに逆向きに並列接続している一対の発光ダイオード１から構成されるので、複数であるが２個または４個に特定されない。同数の発光ダイオードを直列に接続してこれを並列に接続しているドット構成ユニットは、発光ダイオードの個数が２の整数倍となる。ただし、ドット構成ユニットの発光ダイオードは、個数が異なる発光ダイオードを直列に接続して、これを並列に接続することもできるので、個数は必ずしも２の整数倍に特定しない。
【００１９】
ドット構成ユニット５は、発光ダイオード１の個数で明るさ調整できる。ドット構成ユニット５は、発光ダイオード１の個数が多くなると明るくなる。４個の発光ダイオード１のドット構成ユニット５は、２個の発光ダイオード１のものに比較して明るさが２倍になる。図１の表示装置は、図３の拡大図に示すように、文字の外周縁に沿うドット構成ユニット５を４個の発光ダイオード１で構成し、その内側のドット構成ユニット５を２個の発光ダイオード１で構成している。図において■で表示するドット構成ユニット５は４個の発光ダイオード１で構成し、○で示す部分は２個の発光ダイオード１で構成している。この表示装置は、表示パターンの輪郭を明るく明確にしてコントラストをつけることができる。図１の表示装置は、表示パターンの輪郭を明るくしているが、不規則にあるいは規則的に局部や特定の部分を明るく、あるいは暗くすることもできる。
【００２０】
図２の回路図の表示装置は、ドット構成ユニット５の発光ダイオード１を、さらに直列に接続して直列接続回路６とし、この直列接続回路６を電流制限抵抗７を介して電源２に接続している。電流制限抵抗７は、発光ダイオード１の電圧と電流が規定値となる抵抗値に設定される。４個の発光ダイオード１からなるドット構成ユニット５を直列に接続している直列接続回路６は、発光ダイオード１の個数が多いので発光ダイオード１の電圧降下が大きくなる。したがって電流制限抵抗７の抵抗値を小さくして、各々の発光ダイオード１の電圧と電流を規定値とする。
【００２１】
さらに、図２の表示装置は、直列接続回路６を並列に接続して電源２に接続している。全てのドット構成ユニット５の発光ダイオード１を直列に接続することは、原理的には可能であるが、発光ダイオード１の直列接続個数が多くなるに従って、電源電圧を高くする必要がある。このため、発光ダイオード１の個数が極めて多くなると、電源電圧が異常に高くなる弊害がある。電源電圧が異常に高くならないようにして、多数の発光ダイオード１を点灯するために、複数の直列接続回路６を並列に接続している。
【００２２】
発光ダイオード１は、図４に示すように、リード８をプリント基板９に半田付けして固定される。プリント基板９は、表面で発光ダイオード１の光を反射する。プリント基板９は、表面に白色あるいは白色に近い塗料を塗布し、あるいは反射膜を設けて表面を光の反射面にできる。このプリント基板９は、発光ダイオード１をプリント基板９の表面に向けて光を放射する姿勢で固定する。この姿勢でプリント基板９に固定される発光ダイオード１は、図に示すように、リード８の曲げ角度を変更して、発光ダイオード１の姿勢を調整することができる。このため、リード８の曲げ角度を最適な状態として、発光ダイオード１の輝度むらを少なくできる特長がある。そして、発光ダイオード１と透光性表示板１０１との間隔を小さくしても、即ち、表示部１００の厚さを小さくしても、透光性表示板１０１から発光される光の輝度のむらをなくし均一にすることができる。　また、発光ダイオード１は、通常利用するように、リード８を曲げることなく、まっすぐとして固定して利用することもできる。
【００２３】
図５は発光ダイオード１を固定するプリント基板９のパターンを示す。図のプリント基板９は、複数の発光ダイオード１を接近して固定できる共通パターン１０をひとつのドット構成ユニット５としている。複数のドット構成ユニット５は、縦横に並べて配列されている。ドット構成ユニット５を構成する共通パターン１０に発光ダイオード１が接続される。図のプリント基板９においては、全ドット構成ユニット５は、ひとつの共通パターン１０で構成されている。
【００２４】
プリント基板９は、発光ダイオード１を固定する表面を反射できる面として、裏面には、図５に示す共通パターン１０の導電部を設けている。各々のドット構成ユニット５の共通パターン１０は、入力導電部１０Ａと、出力導電部１０Ｂと、中間導電部１０Ｃとを備えている。隣に配設しているドット構成ユニット５は入力導電部１０Ａと出力導電部１０Ｂとを互いに接続して直列に接続している。図において、横に配列している共通パターン１０が直列に接続されている。
【００２５】
共通パターン１０に発光ダイオード１を接続する拡大図を図６ないし図９に示す。これ等の図に示す共通パターン１０は、図におい右側に入力導電部１０Ａを、左側に出力導電部１０Ｂを設け、入力導電部１０Ａと出力導電部１０Ｂとの間の上部に中間導電部１０Ｃを設けている。入力導電部１０Ａと出力導電部１０Ｂは、共通パターン１０の下部で対向している。共通パターン１０は、その上部で、中間導電部１０Ｃを入力導電部１０Ａと出力導電部１０Ｂとに対向させている。入力導電部１０Ａと出力導電部１０Ｂと中間導電部１０Ｃは、対向する部分に発光ダイオード１のリード８を挿入して半田付けして固定するための連結孔１１を設けている。
【００２６】
ドット構成ユニット５にひとつの発光ダイオード１を点灯する表示装置は、図６と図７に示すように、入力導電部１０Ａと出力導電部１０Ｂに、互いに逆向きに並列接続している一対の第１発光ダイオード１Ａを接続する。入力導電部１０Ａと出力導電部１０Ｂとに互いに逆向きに接続される第１発光ダイオード１Ａは、図６と図７に示すように、流す電流の方向を切り換えて、点灯する発光ダイオード１を切り換えることができる。図６は入力導電部１０Ａから出力導電部１０Ｂに通電し、図７は出力導電部１０Ｂから入力導電部１０Ａに通電す。通電する方向と順方向に接続している第１発光ダイオード１Ａは点灯され、逆向きに接続される第１発光ダイオード１Ａは点灯されない。出力導電部１０Ｂと入力導電部１０Ａとの間に、互いに逆向きに並列接続している一対の発光ダイオード１を接続するプリント基板９は、中間導電部１０Ｃに発光ダイオード１を接続しない。
【００２７】
ドット構成ユニット５にふたつの発光ダイオード１を点灯する表示装置は、図８と図９に示すように、入力導電部１０Ａと中間導電部１０Ｃとに、互いに逆向きに並列接続している一対の入力側第２発光ダイオード１Ｂを接続し、さらに、中間導電部１０Ｃと出力導電部１０Ｂとの間にも互いに逆向きに並列接続している一対の出力側第２発光ダイオード１Ｂを接続する。中間導電部１０Ｃを介して入力導電部１０Ａと出力導電部１０Ｂとに逆向きに接続された第２発光ダイオード１Ｂは、図８と図９に示すように、流す電流の方向を切り換えて、点灯する発光ダイオード１を切り換えることができる。図８は入力導電部１０Ａから出力導電部１０Ｂに通電し、図９は出力導電部１０Ｂから入力導電部１０Ａに通電する。通電する方向と順方向に接続している発光ダイオード１は点灯され、逆向きに接続される発光ダイオード１は点灯されない。中間導電部１０Ｃに発光ダイオード１を接続するドット構成ユニット５は、入力導電部１０Ａと出力導電部１０Ｂとの間には発光ダイオード１を接続しない。
【００２８】
以上のプリント基板９は、第１発光ダイオード１Ａと第２発光ダイオード１Ｂのいずれかをプリント基板９に接続して、点灯する発光ダイオード１の個数を変更できる。すなわち、発光ダイオード１を接続する位置と個数を変更して、ひとつのドットを構成する発光ダイオード１の個数を調整できる。また、図のプリント基板９は、共通パターン１０の入力導電部１０Ａと出力導電部１０Ｂとをジャンパー線で接続して、発光しないドットとすることもできる。
【００２９】
さらに、図の共通パターン１０は、共通パターン１０の上部に独立導電部１０Ｄを設けている。独立導電部１０Ｄは、電流制限抵抗７を接続する連結孔１２を設けている。さらに、入力導電部１０Ａと出力導電部１０Ｂにも電流制限抵抗７を接続する連結孔１２を設けている。この共通パターン１０は、独立導電部１０Ｄと入力導電部１０Ａとの間、あるいは独立導電部１０Ｄと出力導電部１０Ｂとの間に電流制限抵抗７を接続することができる。
【００３０】
以上の表示装置は、発光ダイオード１に接続している電源２の出力を正負を切り換えて、互いに逆向きに並列接続している一対の発光ダイオード１の一方を発光できる。電源２は、常に一方の方向に電流を流して一方の発光ダイオード１を点灯し、この状態でいずれかの発光ダイオード１が消灯し、あるいは輝度が低下すると、電源２の正負を切り換えて他の発光ダイオード１を点数する。また、電源２は、一定期間（例えば、１日や１週間）で正負を切り換えて、発光ダイオード１を点灯し、特定の方向に電流を流す。そして、継続使用して点灯しない、あるいは輝度が低下する故障発光ダイオードが発生すると、その後は正負を切り換えることなく、反対の方向にのみ電流を流して故障発光ダイオードの方向には電流を流さないようにすることができる。
【００３１】
さらに、電源２は、発光ダイオード１の点灯時間をカウントし、点灯時間が設定時間になると、発光ダイオード１を点滅させて寿命に到達したことを知らせることができる。点滅は、発光ダイオード１の点灯表示に影響の少ない特定の時間に設定することができる。
【００３２】
【発明の効果】
本発明の表示装置は、いずれかの発光ダイオードが故障し、あるいは輝度が低下しても、故障し、あるいは劣化した発光ダイオードを交換することなく、極めて簡単に補修できる極めて優れた特長がある。それは、本発明の表示装置が、互いに接近して配設している発光ダイオードを互いに逆向きとなるように並列に接続して電源に接続すると共に、電源を出力の正負を切り換えられる直流電源としているからである。この表示装置は、電源出力の正負を切り換えて、点灯する発光ダイオードを選択できる。このため、特定の発光ダイオードが故障すると、この故障発光ダイオードの方向と逆向きに電流を流して、その近くに配設している発光ダイオードを点灯できるからである。したがって、本発明の表示装置は、故障修理が極めて難しい高いビルの壁面等に固定されて、極めて便利に使用できる特長がある。また、故障せずに寿命に達した場合は、電源出力の正負を切り換えることにより未使用の発光ダイオードを点灯することができるので、寿命が倍になる。
【図面の簡単な説明】
【図１】本発明の一実施例にかかる発光ダイオードの表示装置の概要図
【図２】図１に示す発光ダイオードの表示装置の回路図
【図３】図１に示す発光ダイオードの表示装置の部分拡大図
【図４】発光ダイオードをプリント基板に固定する一例を示す側面図
【図５】発光ダイオードを固定するプリント基板のパターンを示す平面図
【図６】ひとつの発光ダイオードを点灯するドット構成ユニットの拡大平面図
【図７】図６に示すドット構成ユニットに逆方向に通電する状態を示す拡大平面図
【図８】ふたつの発光ダイオードを点灯するドット構成ユニットの拡大平面図
【図９】図８に示すドット構成ユニットに逆方向に通電する状態を示す拡大平面図
【図１０】本発明の一実施例にかかる発光ダイオードの表示装置の表示部を示す断面図であって、図１のＡ−Ａ線断面に相当する図
【符号の説明】
１…発光ダイオード　　　　１Ａ…第１発光ダイオード
１Ｂ…第２発光ダイオード
２…電源
３…切換回路
４…直流出力回路
５…ドット構成ユニット
６…直列接続回路
７…電流制限抵抗
８…リード
９…プリント基板
１０…共通パターン　　　　１０Ａ…入力導電部
１０Ｂ…出力導電部
１０Ｃ…中間導電部
１０Ｄ…独立導電部
１１…連結孔
１２…連結孔
１００…表示部
１０１…透光性表示板
１０２…収納溝体
【図１】
2004029624.tif 000003
【図２】
2004029624.tif 000004
【図３】
2004029624.tif 000005
【図４】
2004029624.tif 000006
【図５】
2004029624.tif 000007
【図６】
2004029624.tif 000008
【図７】
2004029624.tif 000009
【図８】
2004029624.tif 000010
【図９】
2004029624.tif 000011
【図１０】
2004029624.tif 000012